【手続補正書】
【提出日】平成24年3月13日(2012.3.13)
【手続補正１】
【補正対象書類名】特許請求の範囲
【補正対象項目名】全文
【補正方法】変更
【補正の内容】
【特許請求の範囲】
【請求項１】
第１の部品と第２の部品とを組み立てる組立工程と、
前記組立工程に投入される個々の前記第１の部品の特性の情報及び前記組立工程に投入される個々の前記第２の部品の特性の情報を取得する特性情報取得工程と、
前記第１の部品の前記特性のそれぞれと前記第２の部品の前記特性のそれぞれとの間の親和性に関する情報を取得する親和性情報取得工程と、
前記特性情報取得工程及び前記親和性情報取得工程で得られた情報を用いて前記組立工程に投入される前記第１の部品及び前記第２の部品の組合せを決定する組合せ決定工程と、
を備え、
前記特性情報取得工程は、
前記組立工程に投入される前記個々の前記第１の部品を検査し、得られた検査結果情報を等級に分ける工程と、
前記組立工程に投入される前記個々の前記第２の部品を検査し、得られた検査結果情報を等級に分ける工程と、
を有し、
前記親和性情報取得工程は、
個々の前記第１の部品を検査し、得られた検査結果情報を等級に分けて第１の等級を得る工程と、
個々の前記第２の部品を検査し、得られた検査結果情報を等級に分けて第２の等級を得る工程と、
前記個々の前記第１の部品と前記個々の前記第２の部品とを組み立てて製品を作製し、前記製品を検査する製品検査工程と、
前記製品検査工程で得られた検査結果情報を前記第１の等級及び前記第２の等級との関係の中で位置付け、前記第１及び第２の等級の各組合せについて第３の等級を作成する工程と、
を有したことを特徴とする製品の製造方法。
【請求項２】
前記親和性情報取得工程は、前記第３の等級に物理的考察を踏まえた加重因子を乗じまたは加える工程をさらに有することを特徴とする請求項１記載の製品の製造方法。
【請求項３】
第１の部品と第２の部品とを組み立てる組立工程に投入される個々の前記第１の部品の特性の情報及び前記組立工程に投入される個々の前記第２の部品の特性の情報を格納する特性情報格納手段と、
前記第１の部品の前記特性のそれぞれと前記第２の部品の前記特性のそれぞれとの間の親和性に関する情報を格納する親和性情報格納手段と、
前記個々の前記第１の部品の特性の情報、前記個々の前記第２の部品の特性の情報、及び前記親和性に関する情報を用いて前記組立工程に投入される前記第１の部品及び前記第２の部品の組合せを決定する組合せ決定手段と、
を備え、
前記個々の前記第１の部品の特性の情報は、前記組立工程に投入される前記個々の前記第１の部品を検査し、得られた検査結果情報を等級に分けた情報を含み、
前記個々の前記第２の部品の特性の情報は、前記組立工程に投入される前記個々の前記第２の部品を検査し、得られた検査結果情報を等級に分けた情報を含み、
前記親和性に関する情報は、
個々の前記第１の部品を検査し、得られた検査結果情報を等級に分けて第１の等級を得、
個々の前記第２の部品を検査し、得られた検査結果情報を等級に分けて第２の等級を得、
前記個々の前記第１の部品と前記個々の前記第２の部品とを組み立てて製品を作製し、
前記製品の検査を行い、
前記製品の検査で得られた検査結果情報を前記第１の等級及び前記第２の等級との関係の中で位置付け、前記第１及び第２の等級の各組合せについて第３の等級を作成することにより得られた情報を含むことを特徴とする製品の製造システム。
【請求項４】
前記親和性に関する情報は、前記第３の等級に物理的考察を踏まえた加重因子を乗じまたは加えることにより得られた情報を含むことを特徴とする請求項３記載の製品の製造システム。
【請求項５】
製品の製造に用いられるコンピュータプログラムであって、
コンピュータに、
第１の部品と第２の部品とを組み立てる組立工程に投入される個々の前記第１の部品の特性の情報及び前記組立工程に投入される個々の前記第２の部品の特性の情報を取得する手順である特性情報取得手順と、
前記第１の部品の前記特性のそれぞれと前記第２の部品の前記特性のそれぞれとの間の親和性に関する情報を取得する手順である親和性情報取得手順と、
前記特性情報取得手順及び前記親和性情報取得手順で得られた情報を用いて前記組立工程に投入される前記第１の部品及び前記第２の部品の組合せを決定する手順である組合せ決定手順と、
を実行させ、
前記特性情報取得手順は、
前記組立工程に投入される前記個々の前記第１の部品の検査結果情報を等級に分ける手順と、
前記組立工程に投入される前記個々の前記第２の部品の検査結果情報を等級に分ける手順と、
を有し、
前記親和性情報取得手順は、
個々の前記第１の部品の検査結果情報を等級に分けて第１の等級を得る手順と、
個々の前記第２の部品の検査結果情報を等級に分けて第２の等級を得る手順と、
前記個々の前記第１の部品と前記個々の前記第２の部品とを組み立てて製品を作製したときの前記製品の検査結果情報を前記第１の等級及び前記第２の等級との関係の中で位置付け、前記第１及び第２の等級の各組合せについて第３の等級を作成する手順と、
を有することを特徴とするプログラム。
【請求項６】
前記親和性情報取得手順は、前記第３の等級に物理的考察を踏まえた加重因子を乗じまたは加える手順をさらに有することを特徴とする請求項５記載のプログラム。
【手続補正２】
【補正対象書類名】明細書
【補正対象項目名】発明の名称
【補正方法】変更
【補正の内容】
【発明の名称】製品の製造方法、製品の製造システム、およびプログラム
【手続補正３】
【補正対象書類名】明細書
【補正対象項目名】０００１
【補正方法】変更
【補正の内容】
【０００１】
本発明は、製品の製造方法、製品の製造システム、およびプログラムに関し、より詳細には、複数の部品を組み立てて作製される製品の製造方法、製品の製造システム、およびプログラムに関する。
【手続補正４】
【補正対象書類名】明細書
【補正対象項目名】０００５
【補正方法】変更
【補正の内容】
【０００５】
本発明は、良好な相性を有する部品同士を組み合わせて製品を作製することができる製品の製造方法、製品の製造システム、およびプログラムを提供する。
【手続補正５】
【補正対象書類名】明細書
【補正対象項目名】０００６
【補正方法】変更
【補正の内容】
【０００６】
本発明の一態様によれば、第１の部品と第２の部品とを組み立てる組立工程と、
前記組立工程に投入される個々の前記第１の部品の特性の情報及び前記組立工程に投入される個々の前記第２の部品の特性の情報を取得する特性情報取得工程と、
前記第１の部品の前記特性のそれぞれと前記第２の部品の前記特性のそれぞれとの間の親和性に関する情報を取得する親和性情報取得工程と、
前記特性情報取得工程及び前記親和性情報取得工程で得られた情報を用いて前記組立工程に投入される前記第１の部品及び前記第２の部品の組合せを決定する組合せ決定工程と、
を備え、
前記特性情報取得工程は、
前記組立工程に投入される前記個々の前記第１の部品を検査し、得られた検査結果情報を等級に分ける工程と、
前記組立工程に投入される前記個々の前記第２の部品を検査し、得られた検査結果情報を等級に分ける工程と、
を有し、
前記親和性情報取得工程は、
個々の前記第１の部品を検査し、得られた検査結果情報を等級に分けて第１の等級を得る工程と、
個々の前記第２の部品を検査し、得られた検査結果情報を等級に分けて第２の等級を得る工程と、
前記個々の前記第１の部品と前記個々の前記第２の部品とを組み立てて製品を作製し、前記製品を検査する製品検査工程と、
前記製品検査工程で得られた検査結果情報を前記第１の等級及び前記第２の等級との関係の中で位置付け、前記第１及び第２の等級の各組合せについて第３の等級を作成する工程と、
を有したことを特徴とする製品の製造方法が提供される。
【手続補正６】
【補正対象書類名】明細書
【補正対象項目名】０００７
【補正方法】変更
【補正の内容】
【０００７】
また、本発明の他の一態様によれば、第１の部品と第２の部品とを組み立てる組立工程に投入される個々の前記第１の部品の特性の情報及び前記組立工程に投入される個々の前記第２の部品の特性の情報を格納する特性情報格納手段と、
前記第１の部品の前記特性のそれぞれと前記第２の部品の前記特性のそれぞれとの間の親和性に関する情報を格納する親和性情報格納手段と、
前記個々の前記第１の部品の特性の情報、前記個々の前記第２の部品の特性の情報、及び前記親和性に関する情報を用いて前記組立工程に投入される前記第１の部品及び前記第２の部品の組合せを決定する組合せ決定手段と、
を備え、
前記個々の前記第１の部品の特性の情報は、前記組立工程に投入される前記個々の前記第１の部品を検査し、得られた検査結果情報を等級に分けた情報を含み、
前記個々の前記第２の部品の特性の情報は、前記組立工程に投入される前記個々の前記第２の部品を検査し、得られた検査結果情報を等級に分けた情報を含み、
前記親和性に関する情報は、
個々の前記第１の部品を検査し、得られた検査結果情報を等級に分けて第１の等級を得、
個々の前記第２の部品を検査し、得られた検査結果情報を等級に分けて第２の等級を得、
前記個々の前記第１の部品と前記個々の前記第２の部品とを組み立てて製品を作製し、
前記製品の検査を行い、
前記製品の検査で得られた検査結果情報を前記第１の等級及び前記第２の等級との関係の中で位置付け、前記第１及び第２の等級の各組合せについて第３の等級を作成することにより得られた情報を含むことを特徴とする製品の製造システムが提供される。
【手続補正７】
【補正対象書類名】明細書
【補正対象項目名】０００８
【補正方法】変更
【補正の内容】
【０００８】
また、本発明のさらに別の一態様によれば、製品の製造に用いられるコンピュータプログラムであって、
コンピュータに、
第１の部品と第２の部品とを組み立てる組立工程に投入される個々の前記第１の部品の特性の情報及び前記組立工程に投入される個々の前記第２の部品の特性の情報を取得する手順である特性情報取得手順と、
前記第１の部品の前記特性のそれぞれと前記第２の部品の前記特性のそれぞれとの間の親和性に関する情報を取得する手順である親和性情報取得手順と、
前記特性情報取得手順及び前記親和性情報取得手順で得られた情報を用いて前記組立工程に投入される前記第１の部品及び前記第２の部品の組合せを決定する手順である組合せ決定手順と、
を実行させ、
前記特性情報取得手順は、
前記組立工程に投入される前記個々の前記第１の部品の検査結果情報を等級に分ける手順と、
前記組立工程に投入される前記個々の前記第２の部品の検査結果情報を等級に分ける手順と、
を有し、
前記親和性情報取得手順は、
個々の前記第１の部品の検査結果情報を等級に分けて第１の等級を得る手順と、
個々の前記第２の部品の検査結果情報を等級に分けて第２の等級を得る手順と、
前記個々の前記第１の部品と前記個々の前記第２の部品とを組み立てて製品を作製したときの前記製品の検査結果情報を前記第１の等級及び前記第２の等級との関係の中で位置付け、前記第１及び第２の等級の各組合せについて第３の等級を作成する手順と、
を有することを特徴とするプログラムが提供される。
【手続補正８】
【補正対象書類名】明細書
【補正対象項目名】０００９
【補正方法】変更
【補正の内容】
【０００９】
本発明によれば、良好な相性を有する部品同士を組み合わせて製品を作製することができる製品の製造方法、製品の製造システム、およびプログラムが提供される。